(57)【要約】【課題】  音声記録中の擬似シャッター音等の電子音を記録しないようにする。【解決手段】  音声記録中は、音声発生部から発生させられる擬似シャッター音等の電子音を記録信号処理部に予め記録しておいた擬似シャッター音等の電子音信号を利用して除去し、音声を記録する。【選択図】  図１
2005328437.tif 000002
【特許請求の範囲】
【請求項１】
被写体からの撮像光を電気的な画像信号に光電変換する撮像手段と、音声記録手段と、撮影装置内に予め記憶されている複数の擬似シャッター音等の電子音と、撮影動作に連動して前記擬似シャッター音等の電子音を発生させるための音声発生手段と、を備えた撮影装置において、
前記擬似シャッター音等の電子音の発生が選択されている場合で、音声記録中に撮影動作を行ったとき、前記擬似シャッター音等の電子音信号を利用して、発生させた擬似シャッター音等の電子音を除去して音声記録することを特徴とする撮影装置。
【請求項２】
被写体からの撮像光を電気的な画像信号に光電変換する撮像手段と、音声記録手段と、撮影動作に連動して擬似シャッター音等の電子音を発生させるための音声発生手段を備えた撮影装置において、
擬似シャッター音等の電子音の発生が選択されている場合で、音声記録中に撮影動作を行ったとき、擬似シャッター音等の電子音の発生を禁止することを特徴とする撮影装置。
【発明の詳細な説明】
【技術分野】
【０００１】
本発明はデジタルカメラ等の光学変換素子を用いる撮影装置に関するものである。
【背景技術】
【０００２】
従来、特開2002−199272に開示されているようなデジタルカメラ等の光学変換素子を用いる撮影装置は、一般的にシャッターがメカニカルでないため、撮影動作時にレリーズボタンを押してシャッターを切っても音がしないか又は、小さいので、操作上で使い勝手が悪い場合があり、撮影動作時にシャッター音等の電子音を擬似的に発生させる手段を選択可能に備えていた。
【０００３】
そして、擬似シャッター音等の電子音発生を選択している場合、音声記録手段を備えた撮影装置で音声記録中に撮影動作を行うと、レリーズ動作に連動してマイクアンプのゲインを下げたり、マイクによる音声記録経路をオフにして、記録した音声に擬似シャッター音等の電子音が入らないようにしていた。
【発明の開示】
【発明が解決しようとする課題】
【０００４】
しかしながら上記従来例では、擬似シャッター音等の電子音発生を選択している場合、音声記録中にシャッターを切ると記録された音声に途切れが発生してしまうという問題があった。
【課題を解決するための手段】
【０００５】
そこで本発明では、被写体からの撮像光を電気的な画像信号に光電変換する撮像手段と、音声記録手段と、撮影装置内に予め記憶されている複数の擬似シャッター音等の電子音と、レリーズボタンの操作に連動して擬似シャッター音等の電子音を発生させるための音声発生手段と、を備えた撮影装置において、
１．擬似シャッター音等の電子音の発生が選択されている場合で、音声記録中に撮影動作を行ったとき、前記擬似シャッター音等の電子音信号を利用して、発生させた擬似シャッター音等の電子音を除去して音声記録する。
２．擬似シャッター音等の電子音の発生が選択されている場合で、音声記録中に撮影動作を行ったとき、擬似シャッター音等の電子音の発生を禁止する。
ことによって、擬似シャッター音等の電子音の発生を選択した状態でも、記録した音声に擬似シャッター音等の電子音が入らないように音声を記録することが可能となり、記録した音声に途切れが発生することが無くなる。
【発明の効果】
【０００６】
以上説明したように本考案では、被写体からの撮像光を電気的な画像信号に光電変換する撮像手段と、音声記録手段と、撮影装置内に予め記憶されている複数の擬似シャッター音等の電子音と、レリーズボタンの操作に連動して擬似シャッター音等の電子音を発生させるための音声発生手段を備えた撮影装置において、
１．擬似シャッター音等の電子音の発生が選択されている場合で、音声記録中に撮影動作を行ったとき、撮影装置内に予め記憶されている擬似シャッター音等の電子音を利用して、擬似シャッター音等の電子音を除去して音声記録する。
２．擬似シャッター音等の電子音の発生が選択されている場合で、音声記録中に撮影動作を行ったとき、擬似シャッター音等の電子音の発生を禁止する。
ことによって、記録している音声に擬似シャッター音等の電子音が入らないようにすることが出来るので、記録している音声が途切れてしまうこともない。
【発明を実施するための最良の形態】
【０００７】
（第１の実施例）
図１は、第一の実施例に係る光変換素子を用いたデジタルカメラの概略構成を表すブロック図で、１は被写体像を撮像素子であるＣＣＤ２の受光面に結像させる光学系を含む撮影部、３はＣＣＤ２からの信号に対して所定の処理を施すカメラプロセス部、４は撮影した映像、音声を保存する記録手段で、半導体メモリ、ハードディスク、ＭＯ、ＣＤ、ＤＶＤ等の記録媒体が使用される。
【０００８】
５は被写体の撮影を実行するためのレリーズスイッチ、６は外部音声を集音するマイクロホン、７はマイクロホン６で集音された音声信号に対して処理を施す記録信号処理部で、処理された信号は、画像信号と共に記録媒体に記録される。８は所望の音声を発生する音声発生部で、レリーズスイッチ５の操作に連動して制御される。９は不図示のつまみ部材によって音声発生部８から音声を出力するか否か、また発生させる音声の種類を選択可能とする音声発生選択部、１０は不図示のつまみ部材によって、マイクロホン６から音声を記録手段４に記録するか否かを選択可能とする音声記録選択部、１１は本デジタルカメラの一連の動作を制御するシステムコントロール部である。
【０００９】
以上のような構成において、レリーズスイッチ５が押されると、システムコントロール部１１からＣＣＤ２へ信号の蓄積／読み出しが指令される。これと同時にシステムコントロール部１１から音声発生部８へ音声選択部９で選択されている場合、音声の発生が指令されて、音声発生部８より所定の時間、擬似シャッター音声等の電子音が出力される。尚、上記擬似シャッター音等の電子音は、予め音声発生部８内のメモリに記憶されており、これを音声選択部９により使用者が選択した結果にしたがって読み出しされる。
【００１０】
また、録音選択部１０でマイクロホン６からの音声の記録が選択されるとシステムコントロール部１０からの指令により、マイクロホン６で集音された音声を記録手段４に録音する。
【００１１】
次に、録音中（録音選択部オン時）に撮影動作を行った際の音声発生部８から出力される擬似シャッター音等の電子音信号の処理動作について図２のフローチャートをもとに説明する。このフローチャートの動作は、図１のシステムコントロール部１１により予め設定されたプログラムに従って実行されるものである。
【００１２】
まず、ステップ１１レリーズスイッチ５が押されているか否か判断する。オンであればシステムコントロール部１１からＣＣＤ２へ信号の蓄積／読み出しを指令すると同時にステップ１２進み、オフであればステップ１１へ戻る。
【００１３】
ステップ１２では、録音選択部１０で録音が選択（オン）になっているかをチェックする。オンであればステップ１３に進み、オフであればステップ１５に進み、撮影が行われる。
【００１４】
ステップ１３では、音声選択部９で擬似シャッター音等の電子音の発生が選択（オン）されている場合は、ステップ１4へ進み、オフであればステップ１５に進み、録音状態のまま撮影が行われる。
【００１５】
そして、ステップ１４では記録信号処理部７で、録音信号から音声選択部９で選択されている擬似シャッター音等の電子音信号の除去処理を行う。このときは、予め録音された擬似シャッター音等の電子音の音声信号を、記録信号処理部７に記憶しておき、この音声信号を逆位相信号にしてマイクロホン６から集音された音声信号と合成する処理を行い、ステップ１５へ進み記録手段４に記録する。
【００１６】
以上のように、録音時に擬似シャッター音等の電子音の発生を選択した状態で、撮影動作を行う時には、音声発生部８からの擬似シャッター音等の電子音を除去して録音するようにしている。
【００１７】
（第２の実施例）
図３は、第二の実施例に係る光変換素子を用いたデジタルカメラの概略構成を表すブロック図で、１２は被写体像を撮像素子であるＣＣＤ１３の受光面に結像させる光学系を含む撮影部、１４はＣＣＤ１３からの信号に対して所定の処理を施すカメラプロセス部、１５は撮影した映像、音声を保存する記録手段で、半導体メモリ、ハードディスク、ＭＯ、ＣＤ、ＤＶＤ等の記録媒体が使用される。
【００１８】
１６は被写体の撮影を実行するためのレリーズスイッチ、１７は外部音声を集音するマイクロホン、マイクロホン１７で集音された音声は、画像信号と共に記録媒体に記録される。
【００１９】
１８は所望の音声を発生する音声発生部で、レリーズスイッチ１６の操作に連動して制御される。１９は不図示のつまみ部材によって音声発生部１８から音声を出力するか否か、また発生させる音声の種類を選択可能とする音声発生選択部、２０は不図示のつまみ部材によって、マイクロホン１７から音声を記録手段１５に記録するか否かを選択可能とする音声記録選択部、２１は本デジタルカメラの一連の動作を制御するシステムコントロール部である。
【００２０】
以上のような構成において、レリーズスイッチ１６が押されると、システムコントロール部２１からＣＣＤ１３へ信号の蓄積／読み出しが指令される。これと同時にシステムコントロール部２１から音声発生部１８へ音声選択部１９で選択されている場合、音声の発生が指令されて、音声発生部１８より所定の時間、擬似シャッター音声等の電子音が出力される。尚、上記擬似シャッター音等の電子音は、予め音声発生部１８内のメモリに記憶されており、これを音声選択部１９により使用者が選択した結果にしたがって読み出しされる。
【００２１】
また、録音選択部２０でマイクロホン１７からの音声の記録が選択されるとシステムコントロール部２１からの指令により、マイクロホン１７で集音された音声を記録手段４に録音する。
【００２２】
次に、録音中（録音選択部オン時）に撮影動作を行った際の音声発生部１８から出力される擬似シャッター音等の電子音信号の動作について図４のフローチャートをもとに説明する。このフローチャートの動作は、図３のシステムコントロール部２１により予め設定されたプログラムに従って実行されるものである。
【００２３】
まず、ステップ２１レリーズスイッチ１６が押されているか否か判断する。オンであればシステムコントロール部２１からＣＣＤ１３へ信号の蓄積／読み出しを指令すると同時にステップ２２進み、オフであればステップ２１へ戻る。
【００２４】
ステップ２２では、録音選択部２０で録音が選択（オン）になっているかをチェックする。オンであればステップ２３に進み、オフであればステップ２５へ進み、撮影が行われる。
【００２５】
ステップ２３では、音声選択部１９で擬似シャッター音等の電子音の発生が選択（オン）されている場合は、ステップ２４へ進み、オフであればステップ２５へ進む。
【００２６】
そして、ステップ２４では音声選択部１９の選択をオンからオフに切り替え、ステップ２５へ進む。
【００２７】
以上のように、録音時に撮影動作を行う時には、音声発生部９からの擬似シャッター音等の電子音を強制的にオフに切り替えるので、擬似シャッター音等の電子音は発生せず、記録中の音声には、擬似シャッター音等の電子音は、記録手段４に記録されない。
【図面の簡単な説明】
【００２８】
【図１】本発明の第一の実施例の構成を示すブロック図
【図２】第一の実施例の動作を示すフローチャート
【図３】本発明の第二の実施例の構成を示すブロック図
【図４】第二の実施例の動作を示すフローチャート
【符号の説明】
【００２９】
１，１２  撮影部
２，１３  ＣＣＤ
３，１４  カメラプロセス部
４，１５  記録手段
５，１６  レリーズスイッチ
６，１７  マイクロホン
７  記録信号処理部
８，１８  音声発生部
９，１９  音声選択部
１０，２０  録音選択部
１１，２１  システムコントロール部
【図１】
2005328437.tif 000003
【図２】
2005328437.tif 000004
【図３】
2005328437.tif 000005
【図４】
2005328437.tif 000006